(57)【要約】【課題】ブラックシリカを用いたシート素材、並びにそれを用いたアームカバー、ウエストサポーター、アイマスク、ネックウォーム及びレッグロールを提供する。【解決手段】ブラックシリカを用いたシート素材１０は、天然鉱石であるブラックシリカ原料から鉱害物質を除去し、樹脂材料と混練されブラックシリカとなり、ブラックシリカと樹脂材料が混錬されシート状に形成されたものである。アームカバー１１は、ブラックシリカを用いたシート素材１０が混在されて形成されており、表面は、通気性を有するダブルラッセル生地を用い、裏面は、トリコット生地を用いている。中赤外線による保温性、毛細血管拡張促進、血行促進、血流改善効果及び透析患者の血管の保護などの優れた効果を有している。【選択図】図２
0003218392.tif 000002
【実用新案登録請求の範囲】
【請求項１】
繊維製品に用いる素材として形成されたブラックシリカを用いたシート素材であって、
天然鉱石であるブラックシリカ原料から鉱害物質が除去され、
前記鉱害物質が除去された前記ブラックシリカ原料は、樹脂材料と混練され、
前記混錬された前記ブラックシリカと前記樹脂材料が、シート状になるように形成されていることを特徴とするブラックシリカを用いたシート素材。
【請求項２】
請求項１に記載のブラックシリカを用いたシート素材が使用されている繊維製品は、アームカバーであって、
表面は、予め定められた生地を用いており、裏面は、予め定められた生地を用いていることを特徴とするアームカバー。
【請求項３】
両端は、面ファスナーで着脱自在となるように形成されており、
前記表面の予め定められた生地は通気性を有するダブルラッセル生地であり、前記裏面の予め定められた生地はトリコット生地であり、
中赤外線による保温性、毛細血管拡張促進、血行促進、血流改善効果及び透析患者の血管の保護を有することを特徴とする請求項２に記載のアームカバー。
【請求項４】
円筒状に形成されており、
前記円筒状の表面に設けられて面ファスナーであって、
前記面ファスナーを用いて前記円筒状の内径が狭くなるように形成されており、
前記表面の予め定められた生地は通気性を有するダブルラッセル生地であり、前記裏面の予め定められた生地はトリコット生地であり、
中赤外線による保温性、毛細血管拡張促進、血行促進、血流改善効果及び透析患者の血管の保護を有することを特徴とする請求項２に記載のアームカバー。
【請求項５】
請求項１に記載のブラックシリカを用いたシート素材が使用されている繊維製品は、ウエストサポーターであって、
表面は、通気性を有するダブルラッセル生地を用いており、裏面は、トリコット生地を用いており、両端は、面ファスナーで着脱自在となるように形成され、
中赤外線による保温性、冷え性の予防及び発汗作用促進を有することを特徴とするウエストサポーター。
【請求項６】
請求項１に記載のブラックシリカを用いたシート素材が使用されている繊維製品は、アイマスクであって、
表面は、通気性を有するダブルラッセル生地を用いており、裏面は、トリコット生地を用いており、両端は、面ファスナーで着脱自在となるように形成され、
中赤外線による血流促進、緑内障予防、白内障予防及び目の疲れ抑制を有することを特徴とするアイマスク。
【請求項７】
請求項１に記載のブラックシリカを用いたシート素材が混在されている繊維製品は、ネックウォームであって、
表面は、通気性を有するダブルラッセル生地を用いており、裏面は、トリコット生地を用いており、両端は、面ファスナーで着脱自在となるように形成され、
中赤外線による保温性、毛細血管拡張促進及び血行促進を有することを特徴とするネックウォーム。
【請求項８】
請求項１に記載のブラックシリカを用いたシート素材が使用されている繊維製品は、レッグロールであって、
表面は、通気性を有するダブルラッセル生地を用いており、裏面は、トリコット生地を用いており、両端は、面ファスナーで着脱自在となるように形成され、
中赤外線による保温性、毛細血管拡張促進、血行促進、血流改善効果及びエコノミー症候群予防を有することを特徴とするレッグロール。
【考案の詳細な説明】
【技術分野】
【０００１】
本考案は、ブラックシリカを用いたシート素材、並びにそれを用いたアームカバー、ウエストサポーター、アイマスク、ネックウォーム及びレッグロールに関する。
【背景技術】
【０００２】
従来、血流促進などに対する対応として電気を利用した暖房器具、電気と遠赤外線を併用したもの、電気毛布などで温熱を得ていた。
【考案の概要】
【考案が解決しようとする課題】
【０００３】
上記の従来の技術において次のような問題点があった。使用する個人の体力及び個人の自己治癒力には一切関係なく、温かさのみを追求し、人間本来の持つ自己治癒力をも奪っていた。本考案は、以上の問題点を解決するために開発されたものである。
【０００４】
本考案は、こうした点に鑑みてなされたものであり、ブラックシリカを用いたシート素材、並びにそれを用いたアームカバー、ウエストサポーター、アイマスク、ネックウォーム及びレッグロールを提供することである。
【課題を解決するための手段】
【０００５】
上記課題を解決するために、本考案に係るブラックシリカを用いたシート素材は、繊維製品に用いる素材として形成されたブラックシリカを用いたシート素材であって、天然鉱石であるブラックシリカ原料から鉱害物質が除去され、前記鉱害物質が除去された前記ブラックシリカ原料は、樹脂材料と混練され、前記混錬された前記ブラックシリカと前記樹脂材料が、シート状になるように形成されていることを特徴とする。
【０００６】
上記課題を解決するために、上記の記載のブラックシリカを用いたシート素材が使用されている繊維製品は、アームカバーであって、表面は、予め定められた生地を用いており、裏面は、予め定められた生地を用いていることを特徴とする。また、アームカバーは、両端が、面ファスナーで着脱自在となるように形成されており、前記表面の予め定められた生地は通気性を有するダブルラッセル生地であり、前記裏面の予め定められた生地はトリコット生地であり、中赤外線による保温性、毛細血管拡張促進、血行促進、血流改善効果及び透析患者の血管の保護を有することを特徴とする。さらに、アームカバーは、円筒状に形成されており、前記円筒状の表面に設けられて面ファスナーであって、前記面ファスナーを用いて前記円筒状の内径が狭くなるように形成されており、前記表面の予め定められた生地は通気性を有するダブルラッセル生地であり、前記裏面の予め定められた生地はトリコット生地であり、中赤外線による保温性、毛細血管拡張促進、血行促進、血流改善効果及び透析患者の血管の保護を有することを特徴とする。
【０００７】
上記課題を解決するために、本考案に係るウエストサポーターは、上記のブラックシリカを用いたシート素材が使用されている繊維製品は、ウエストサポーターであって、表面は、通気性を有するダブルラッセル生地を用いており、裏面は、トリコット生地を用いており、両端は、面ファスナーで着脱自在となるように形成され、中赤外線による保温性、冷え性の予防及び発汗作用促進を有することを特徴とする。
【０００８】
上記課題を解決するために、本考案に係るアイマスクは、上記にブラックシリカを用いたシート素材が使用されている繊維製品は、アイマスクであって、表面は、通気性を有するダブルラッセル生地を用いており、裏面は、トリコット生地を用いており、両端は、面ファスナーで着脱自在となるように形成され、中赤外線による血流促進、緑内障予防、白内障予防及び目の疲れ抑制を有することを特徴とする。
【０００９】
上記課題を解決するために、本考案に係るネックウォームは、上記のブラックシリカを用いたシート素材が使用されている繊維製品は、ネックウォームであって、表面は、通気性を有するダブルラッセル生地を用いており、裏面は、トリコット生地を用いており、両端は、面ファスナーで着脱自在となるように形成され、中赤外線による保温性、毛細血管拡張促進及び血行促進を有することを特徴とする。
【００１０】
上記課題を解決するために、本考案に係るレッグロールは、上記のブラックシリカを用いたシート素材が使用されている繊維製品は、レッグロールであって、表面は、通気性を有するダブルラッセル生地を用いており、裏面は、トリコット生地を用いており、両端は、面ファスナーで着脱自在となるように形成され、中赤外線による保温性、毛細血管拡張促進、血行促進、血流改善効果及びエコノミー症候群予防を有することを特徴とする。
【考案の効果】
【００１１】
本考案によれば、ブラックシリカを用いたシート素材、並びにそれを用いたアームカバー、ウエストサポーター、アイマスク、ネックウォーム及びレッグロールを提供することができる。
【図面の簡単な説明】
【００１２】
【図１】実施形態のブラックシリカを用いたシート素材の一例を示す模式図である。
【図２】実施形態のブラックシリカを用いたシート素材の使用の一例のアームカバーを示す参考図である。
【図３】実施形態のブラックシリカを用いたシート素材の使用の一例のウエストサポーターを示す参考図である。
【図４】実施形態のブラックシリカを用いたシート素材の使用の一例のアイマスクを示す参考図である。
【図５】実施形態のブラックシリカを用いたシート素材の使用の一例のネックウォームを示す参考図である。
【図６】実施形態のブラックシリカを用いたシート素材の使用の一例のレッグロールを示す参考図である。
【考案を実施するための形態】
【００１３】
以下、本考案のブラックシリカを用いたシート素材、並びにそれを用いたアームカバー、ウエストサポーター、アイマスク、ネックウォーム及びレッグロールに係る実施形態を、図１から図６を用いて説明する。
【００１４】
実施形態のブラックシリカを用いたシート素材１０は、繊維製品に用いる素材として形成されたブラックシリカを用いて形成されたシート素材である。ブラックシリカを用いたシート素材１０は、例えば、天然鉱石であるブラックシリカ原料から鉱害物質を除去し、鉱害物質が除去されたブラックシリカ原料は、樹脂材料と混練されブラックシリカＢとなる。上記のブラックシリカＢと樹脂材料が混錬されたものが、シート状になるように形成されることで、ブラックシリカを用いたシート素材１０が形成される。
【００１５】
上記の鉱害物質の除去は、一例として、ブラックシリカ原料に含まれる不純物を除去することであり、このように不純物が除去されたブラックシリカ原料を粉砕し、粉砕されたこのブラックシリカ原料を用いてブラックシリカＢが形成される。このようにして形成されたブラックシリカを用いたシート素材１０は、優れた保温性、血流改善などの顕著な効果を有するものである。
【００１６】
アームカバー１１は、上記のブラックシリカを用いたシート素材１０が使用されている繊維製品の一例である。アームカバー１１は、例えば、表面は、通気性を有するダブルラッセル生地を用いている。また、アームカバー１１の裏面は、トリコットを用いている。このようなアームカバー１１は、中赤外線による保温性、毛細血管拡張促進、血行促進、血流改善効果及び透析患者の血管の保護などの顕著な効果を有している。なお、表面及び裏面の生地は、上記の生地に限定されず、適宜最適な予め定められた生地にするとよく、他の繊維製品においても同様である。
【００１７】
アームカバー１１は、例えば、両端が、面ファスナーで着脱自在となるように形成されてもよいが、以下に説明する図２（ａ）から図２（ｄ）に示す構成が望ましい。
【００１８】
アームカバー１１は、図２（ａ）から図２（ｄ）に示すように、より使い易く効果のある構成として、円筒状に形成されていることが望ましい。この場合、円筒状の表面に、図にしめす面ファスナーＭが、設けられており、この面ファスナーＭを用いて円筒状の内径が狭くなるように形成されている。すなわち、腕に自由に入り込むように形成されている円筒状のアームカバー１１を、腕に嵌めて、自分で余り部分を引っ張り巻きつけ、表面に設けられている面ファスナーＭを合わせて接合させることで、しっかりとアームカバー１１が腕に嵌め込まれる調整型のフリータイプの優れた構成となっている。このようなアームカバー１１は、血管拡張を含め、特に、透析患者の注射による血管破損などの保護に有効な画期的なものとして期待されている。なお、この円筒状のこの方式は、本考案のアームカバーに限定されず、例えばレッグロールに適用してもよく、その他の繊維製品に適用してもよい。
【００１９】
ウエストサポーター１２は、上記のブラックシリカを用いたシート素材１０が使用されている繊維製品の一例である。ウエストサポーター１２は、表面は、通気性を有するダブルラッセル生地を用いている。また、ウエストサポーター１２の裏面は、トリコット生地を用いており、両端は、面ファスナーで着脱自在となるように形成されている。このように形成されているウエストサポーター１２は、中赤外線による保温性、冷え性の予防及び発汗作用促進を有する優れたものである。
【００２０】
アイマスク１３は、上記のブラックシリカを用いたシート素材１０が使用されている繊維製品の一例である。アイマスク１３は、表面は、通気性を有するダブルラッセル生地を用いている。また、アイマスク１３の裏面は、トリコット生地を用いており、両端は、面ファスナーで着脱自在となるように形成されている。このように形成されているアイマスク１３は、中赤外線による血流促進、緑内障予防、白内障予防及び目の疲れ抑制を有する優れたものである。
【００２１】
ネックウォーム１４は、上記のブラックシリカを用いたシート素材１０が使用されている繊維製品の一例である。ネックウォーム１４は、表面は、通気性を有するダブルラッセル生地を用いている。また、ネックウォーム１４の裏面は、トリコット生地を用いており、両端は、面ファスナーで着脱自在となるように形成されている。このように形成されているネックウォーム１４は、中赤外線による保温性、毛細血管拡張促進及び血行促進を有する優れたものである。なお、図５（ａ）は、Ｍサイズのネックウォーム１４の一例であり、また、図４（ｂ）は、スカーフタイプのネックウォーム１４の一例である。
【００２２】
また、上記のブラックシリカを用いたシート素材１０が使用されているレッグロール１５も、繊維製品としての一例である。レッグロール１５は、表面は、通気性を有するダブルラッセル生地を用いており、裏面は、トリコット生地を用いており、また、両端は、面ファスナーで着脱自在となるように形成されている。このような構成のレッグロール１５は、中赤外線による保温性、毛細血管拡張促進、血行促進、血流改善効果及びエコノミー症候群予防を有する優れたものである。
【００２３】
本考案のブラックシリカを用いたシート素材１０は、上記のとおりブラックシリカ原料を特殊加工したブラックシリカを用いてシート素材として具現化したものであり、さらに、このブラックシリカを用いたシート素材に着目し、これを繊維製品に使用し具現化したものである。
【００２４】
すなわち、本考案は、天然鉱石であるブラックシリカ原料に着目し、開発したブラックシリカを用いたシート素材１０であり、それを用いて具現化した繊維製品の例として開発されたアームカバー１１、ウエストサポーター１２、アイマスク１３、ネックウォーム１４及びレッグロール１５である。ブラックシリカを用いたシート素材１０、及びこれらの繊維製品は、中赤外線による保温、血流促進などの効果に加え、基礎体温の上昇による細胞の活性化、病気の予防・治癒などの効果も期待できるものであるが、これらに限定されず、健康グッズ、免疫療法などにおいて幅広く活用することができる優れたものである。すなわち、ブラックシリカを用いたシート素材１０は、上記の製品に限定されず、特に、多種にわたる健康グッズに用いることは、効果的であり期待されている。
【００２５】
以上、本考案の有する特徴及び優れた点を上記実施形態に記載したが、本考案は、本願の実用新案請求の範囲で使用されている言葉を広く一般的な意味に拡張して実施することができる。
【００２６】
また、本考案の上記のブラックシリカを用いたシート素材、並びにそれを用いたアームカバー、ウエストサポーター、アイマスク、ネックウォーム及びレッグロールは、大きさ、形状、素材の種類、厚さ、重さなどについては多様な実施形態が可能であり、それらについて本実施形態と異なる形態による実施は、本考案の技術的範囲に含まれる。
【符号の説明】
【００２７】
１０    ブラックシリカを用いたシート素材
１１    アームカバー
１２    アイマスク
１３    ウエストサポーター
１４    ネックウォーム
１５    レッグロール
Ｂ      ブラックシリカ
Ｍ      面ファスナー
【図１】
0003218392.tif 000003
【図２】
0003218392.tif 000004
【図３】
0003218392.tif 000005
【図４】
0003218392.tif 000006
【図５】
0003218392.tif 000007
【図６】
0003218392.tif 000008